(57)【要約】【課題】一般に普及している屋根材としての金属板をそのまま利用し、通気層に溜まった湿気を排出させることができる金属板葺き屋根を提供すること。【解決手段】一端に水平方向に設けられた嵌め込み用凸部１４と他端寄りに水平方向に設けられた嵌め込み用凹部１６とを有する金属板１２を複数枚用いた金属板の横葺き屋根であって、一方の金属板１２の嵌め込み用凸部１４の一部をクリップ３２で挟むことによって、一方の金属板１２の嵌め込み用凸部１４の先端部１８がクリップ３２によって阻害されて、他方の金属板１２ａの嵌め込み用凹部１６の最奥部２０まで到達できないことにより、一方の金属板１２の嵌め込み用凸部１４の先端部１８と他方の金属板１２ａの嵌め込み用凹部１６の最奥部２０との間に外気に通じる隙間３４を設けたことを特徴とするもの。【選択図】図４
2020193497.tif 000002
【特許請求の範囲】
【請求項１】
一端に水平方向に設けられた嵌め込み用凸部と他端寄りに水平方向に設けられた嵌め込み用凹部とを有する金属板を複数枚用い、一方の金属板の嵌め込み用凸部の先端部を他方の金属板の嵌め込み用凹部の最奥部まで水平方向に嵌め込み、一方の金属板の嵌め込み用凸部の先端部と他方の金属板の嵌め込み用凹部の最奥部とを接触させ、連結し、屋根下地材上に固定した金属板の横葺き屋根であって、
一方の金属板の嵌め込み用凸部の一部をクリップで挟むことによって、一方の金属板の嵌め込み用凸部の先端部がクリップによって阻害されて、他方の金属板の嵌め込み用凹部の最奥部まで到達できないことにより、
一方の金属板の嵌め込み用凸部の先端部と他方の金属板の嵌め込み用凹部の最奥部との間に外気に通じる隙間を設けたことを特徴とするもの。
【請求項２】
一端に水平方向に設けられた嵌め込み用凸部と他端寄りに水平方向に設けられた嵌め込み用凹部とを有する金属板を複数枚用い、一方の金属板の嵌め込み用凸部の先端部を他方の金属板の嵌め込み用凹部の最奥部まで水平方向に嵌め込み、一方の金属板の嵌め込み用凸部の先端部と他方の金属板の嵌め込み用凹部の最奥部とを接触させ、連結し、屋根下地材上に固定した金属板の横葺き屋根であって、
一方の金属板の嵌め込み用凸部の一部の上部及び下部に突起を設けることによって、一方の金属板の嵌め込み用凸部の先端部が上部及び下部の突起によって阻害されて、他方の金属板の嵌め込み用凹部の最奥部まで到達できないことにより、
一方の金属板の嵌め込み用凸部の先端部と他方の金属板の嵌め込み用凹部の最奥部との間に外気に通じる隙間を設けたことを特徴とするもの。
【請求項３】
一端に水平方向に設けられた嵌め込み用凸部と他端寄りに水平方向に設けられた嵌め込み用凹部とを有する金属板を複数枚用い、一方の金属板の嵌め込み用凸部の先端部を他方の金属板の嵌め込み用凹部の最奥部まで水平方向に嵌め込み、一方の金属板の嵌め込み用凸部の先端部と他方の金属板の嵌め込み用凹部の最奥部とを接触させ、連結し、屋根下地材上に固定した金属板の横葺き屋根であって、
一方の金属板の嵌め込み用凸部の先端部の一部に突起を設けることによって、
一方の金属板の嵌め込み用凸部の先端部と他方の金属板の嵌め込み用凹部の最奥部との間における突起の両側部分に外気に通じる隙間を設けたことを特徴とするもの。
【請求項４】
一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、
他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、
を有する金属板を複数枚用い、
一方の金属板の嵌め込み用凹部を他方の金属板の嵌め込み用凸部に垂直方向に嵌め込み、
一方の金属板の嵌め込み用凹部の第一のくびれ部と他方の金属板の嵌め込み用凸部の第三のくびれ部とを密着させると同時に、
一方の金属板の嵌め込み用凹部の第二のくびれ部と他方の金属板の嵌め込み用凸部の第四のくびれ部とを密着させ、
更に一方の金属板の裏側に対して他方の金属板の第二の水返し部の上部を密着又は近接させて配置し、
連結することによって、屋根下地材上に固定した金属板の縦葺き屋根であって、
一方の金属板の第一の水返し部の一部をクリップで挟み、かつ、その際に、他方の金属板の第三のくびれ部の上部の一部を上方からクリップの一端で押さえつけるように挟むことにより、
一方の金属板の第一のくびれ部と他方の金属板の第三のくびれ部との間におけるクリップの両側部分に隙間を設け、
更に他方の金属板の第二の水返し部の一部をクリップで挟むことにより、
一方の金属板の第二のくびれ部と他方の金属板の第四のくびれ部との間に隙間を設けると同時に、
一方の金属板の裏側と他方の金属板の第二の水返し部との間におけるクリップの両側部分に隙間を設けたことを特徴とするもの。
【請求項５】
一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、
他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、
を有する金属板を複数枚用い、
一方の金属板の嵌め込み用凹部を他方の金属板の嵌め込み用凸部に垂直方向に嵌め込み、
一方の金属板の嵌め込み用凹部の第一のくびれ部と他方の金属板の嵌め込み用凸部の第三のくびれ部とを密着させると同時に、
一方の金属板の嵌め込み用凹部の第二のくびれ部と他方の金属板の嵌め込み用凸部の第四のくびれ部とを密着させ、
更に一方の金属板の裏側に対して他方の金属板の第二の水返し部の上部を密着又は近接させて配置し、
連結することによって、屋根下地材上に固定した金属板の縦葺き屋根であって、
一方の金属板の第一の水返し部の一部をクリップで挟み、かつ、その際に、他方の金属板の第三のくびれ部の上部の一部を上方からクリップの一端で押さえつけるように挟むことにより、
一方の金属板の第一のくびれ部と他方の金属板の第三のくびれ部との間におけるクリップの両側部分に隙間を設け、
更に他方の金属板の嵌め込み用凸部の頭頂部から両側の下方に続く側面部にかけた任意の場所に孔を設けたことを特徴とするもの。
【請求項６】
一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、
他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、
を有する金属板を複数枚用い、
一方の金属板の嵌め込み用凹部を他方の金属板の嵌め込み用凸部に垂直方向に嵌め込み、
一方の金属板の嵌め込み用凹部の第一のくびれ部と他方の金属板の嵌め込み用凸部の第三のくびれ部とを密着させると同時に、
一方の金属板の嵌め込み用凹部の第二のくびれ部と他方の金属板の嵌め込み用凸部の第四のくびれ部とを密着させ、
更に一方の金属板の裏側に対して他方の金属板の第二の水返し部の上部を密着又は近接させて配置し、
連結することによって、屋根下地材上に固定した金属板の縦葺き屋根であって、
他方の金属板の第二の水返し部の一部をクリップで挟むことにより、
一方の金属板の第二のくびれ部と他方の金属板の第四のくびれ部との間に隙間を設けると同時に、
一方の金属板の裏側と他方の金属板の第二の水返し部との間におけるクリップの両側部分に隙間を設け、
更に一方の金属板の嵌め込み用凹部の頭頂部から両側の下方に続く側面部にかけた任意の場所に孔を設けたことを特徴とするもの。
【請求項７】
一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、
他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、
を有する金属板を複数枚用い、
一方の金属板の嵌め込み用凹部を他方の金属板の嵌め込み用凸部に垂直方向に嵌め込み、
一方の金属板の嵌め込み用凹部の第一のくびれ部と他方の金属板の嵌め込み用凸部の第三のくびれ部とを密着させると同時に、
一方の金属板の嵌め込み用凹部の第二のくびれ部と他方の金属板の嵌め込み用凸部の第四のくびれ部とを密着させ、
更に一方の金属板の裏側に対して他方の金属板の第二の水返し部の上部を密着又は近接させて配置し、
連結することによって、屋根下地材上に固定した金属板の縦葺き屋根であって、
他方の金属板の嵌め込み用凸部の一部を垂直方向に略楔形のクリップで挟むことにより、
一方の金属板の第一のくびれ部と他方の金属板の第三のくびれ部との間における略楔形のクリップの両側部分と、一方の金属板の第二のくびれ部と他方の金属板の第四のくびれ部との間における略楔形のクリップの両側部分のそれぞれに隙間を設けると同時に、
一方の金属板の裏側と他方の金属板の第二の水返し部との間に隙間を設けたことを特徴とするもの。
【請求項８】
一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、
他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、
を有する金属板を複数枚用い、
一方の金属板の嵌め込み用凹部を他方の金属板の嵌め込み用凸部に垂直方向に嵌め込み、
一方の金属板の嵌め込み用凹部の第一のくびれ部と他方の金属板の嵌め込み用凸部の第三のくびれ部とを密着させると同時に、
一方の金属板の嵌め込み用凹部の第二のくびれ部と他方の金属板の嵌め込み用凸部の第四のくびれ部とを密着させ、
更に一方の金属板の裏側に対して他方の金属板の第二の水返し部の上部を密着又は近接させて配置し、
連結することによって、屋根下地材上に固定した金属板の縦葺き屋根であって、
他方の金属板の第三のくびれ部の下部の一部に第一の突起を、第四のくびれ部の下部の一部に第二の突起を、それぞれ設けることにより、
一方の金属板の第一のくびれ部と他方の金属板の第三のくびれ部との間における第一の突起の両側部分と、一方の金属板の第二のくびれ部と他方の金属板の第四のくびれ部との間における第二の突起の両側部分のそれぞれに隙間を設け、
更に他方の金属板の第二の水返し部の上部の一部に第三の突起を設けることにより、
一方の金属板の裏側と他方の金属板の第二の水返し部との間における第三の突起の両側部分に隙間を設けたことを特徴とするもの。
【請求項９】
一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、
他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、
を有する金属板を複数枚用い、
一方の金属板の嵌め込み用凹部を他方の金属板の嵌め込み用凸部に垂直方向に嵌め込み、
一方の金属板の嵌め込み用凹部の第一のくびれ部と他方の金属板の嵌め込み用凸部の第三のくびれ部とを密着させると同時に、
一方の金属板の嵌め込み用凹部の第二のくびれ部と他方の金属板の嵌め込み用凸部の第四のくびれ部とを密着させ、
更に一方の金属板の裏側に対して他方の金属板の第二の水返し部の上部を密着又は近接させて配置し、
連結することによって、屋根下地材上に固定した金属板の縦葺き屋根であって、
他方の金属板の第三のくびれ部の下部の一部に第一の突起を設けることにより、
一方の金属板の第一のくびれ部と他方の金属板の第三のくびれ部との間における第一の突起の両側部分に隙間を設け、
更に他方の金属板の第二の水返し部の上部の一部に第三の突起を設けることにより、
一方の金属板の第二のくびれ部と他方の金属板の第四のくびれ部との間に隙間を設けると同時に、
一方の金属板の裏側と他方の金属板の第二の水返し部との間における第三の突起の両側部分に隙間を設けたことを特徴とするもの。
【請求項１０】
一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、
他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、
を有する金属板を複数枚用い、
一方の金属板の嵌め込み用凹部を他方の金属板の嵌め込み用凸部に垂直方向に嵌め込み、
一方の金属板の嵌め込み用凹部の第一のくびれ部と他方の金属板の嵌め込み用凸部の第三のくびれ部とを密着させると同時に、
一方の金属板の嵌め込み用凹部の第二のくびれ部と他方の金属板の嵌め込み用凸部の第四のくびれ部とを密着させ、
更に一方の金属板の裏側に対して他方の金属板の第二の水返し部の上部を密着又は近接させて配置し、
連結することによって、屋根下地材上に固定した金属板の縦葺き屋根であって、
他方の金属板の第三のくびれ部の下部の一部に第一の突起を設けることにより、
一方の金属板の第一のくびれ部と他方の金属板の第三のくびれ部との間における第一の突起の両側部分に隙間を設け、
更に他方の金属板の嵌め込み用凸部の頭頂部から両側の下方に続く側面部にかけた任意の場所に孔を設けたことを特徴とするもの。
【請求項１１】
一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、
他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、
を有する金属板を複数枚用い、
一方の金属板の嵌め込み用凹部を他方の金属板の嵌め込み用凸部に垂直方向に嵌め込み、
一方の金属板の嵌め込み用凹部の第一のくびれ部と他方の金属板の嵌め込み用凸部の第三のくびれ部とを密着させると同時に、
一方の金属板の嵌め込み用凹部の第二のくびれ部と他方の金属板の嵌め込み用凸部の第四のくびれ部とを密着させ、
更に一方の金属板の裏側に対して他方の金属板の第二の水返し部の上部を密着又は近接させて配置し、
連結することによって、屋根下地材上に固定した金属板の縦葺き屋根であって、
他方の金属板の第四のくびれ部の下部の一部に第二の突起を設けることにより、
一方の金属板の第二のくびれ部と他方の金属板の第四のくびれ部との間における第二の突起の両側部分に隙間を設け、
更に他方の金属板の第二の水返し部の上部の一部に第三の突起を設けることにより、
一方の金属板の裏側と他方の金属板の第二の水返し部との間における第三の突起の両側部分に隙間を設け、
更に一方の金属板の嵌め込み用凹部の頭頂部から両側の下方に続く側面部にかけた任意の場所に孔を設けたことを特徴とするもの。
【請求項１２】
一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、
他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、
を有する金属板を複数枚用い、
一方の金属板の嵌め込み用凹部を他方の金属板の嵌め込み用凸部に垂直方向に嵌め込み、
一方の金属板の嵌め込み用凹部の第一のくびれ部と他方の金属板の嵌め込み用凸部の第三のくびれ部とを密着させると同時に、
一方の金属板の嵌め込み用凹部の第二のくびれ部と他方の金属板の嵌め込み用凸部の第四のくびれ部とを密着させ、
更に一方の金属板の裏側に対して他方の金属板の第二の水返し部の上部を密着又は近接させて配置し、
連結することによって、屋根下地材上に固定した金属板の縦葺き屋根であって、
他方の金属板の第二の水返し部の上部の一部に第三の突起を設けることにより、
一方の金属板の第二のくびれ部と他方の金属板の第四のくびれ部との間に隙間を設けると同時に、
一方の金属板の裏側と他方の金属板の第二の水返し部との間における第三の突起の両側部分に隙間を設け、
更に一方の金属板の嵌め込み用凹部の頭頂部から両側の下方に続く側面部にかけた任意の場所に孔を設けたことを特徴とするもの。
【請求項１３】
請求項４、５、６、７、８、９、１０、１１、又は１２のいずれかの金属板の縦葺き屋根であって、
屋根下地材の表面に複数の凸体が点状に設けられたことを特徴とするもの。
【発明の詳細な説明】
【技術分野】
【０００１】
本発明は、金属板からなる屋根材と屋根下地材との間の空間（「通気層」という。以下同じ。）に溜まった湿気を排出させることができる金属板葺き屋根に関する。
【背景技術】
【０００２】
一般的に、金属板葺き屋根は気密性が高く、通気層への雨水の浸入はほとんどない。
例えあったとしても、雨水の浸入は僅かである。
しかし、その反面、金属板から侵入した僅かな雨水は、通気層から抜けにくい。
さらに、金属板葺き屋根の通気層は、気密性が高いことから通気が少ないため、金属板から侵入した僅かな雨水を含んだ湿気や、野地板を通じて上がってきた湿気などが溜まりやすい。
さらに、湿気が溜まった通気層においては、日射、放射冷却などの影響を受けた金属板の温度と通気層の温度との差により発生する金属板裏面の結露も発生しやすい。
【０００３】
従来の技術として、外気を取り入れるための外気取入部を備えたアルミ押出成形材からなる軒先材と、軒側に挿入片と棟側に外気を流通させるための通気部を有する支持脚を備えたアルミ押出成形材からなる屋根材と、外気を外へ排出させるための通気口を備えたアルミ押出成形材からなる棟部材と、を連結し、屋根に葺いた金属板葺き屋根がある（例えば、特許文献１参照）。
【０００４】
従来の技術は、一般的に、野地板上に敷かれたルーフィングからなる屋根下地材の上に９ｍｍ程度以上の通気層を設ける「屋根通気工法」と呼ばれるものを基礎としたものであり、軒先材の外気取入部から外気を取り入れ、屋根材の通気部を通して通気層に外気を流通させ、棟部材の通気口から外気を外へ排出させることにより、通気層の湿気を取り払い、乾燥させることができた。
つまり、軒先部から屋根材の下を通じて棟部に抜ける外気の通り道を作って通気層を乾燥させることができた。
【０００５】
しかし、従来の技術は、屋根材だけでなく、軒先材や棟部材までもの屋根用資材全般が、その製造に大変な加工の手間がかかる特殊な形状のものばかりであるため、一般に普及している金属板からなる屋根材と比べ、製造コストが高いものとなるおそれがあった。
【先行技術文献】
【特許文献】
【０００６】
【特許文献１】特開平１０−１５２９５７号公報
【発明の概要】
【発明が解決しようとする課題】
【０００７】
本発明は、一般に普及している屋根材としての金属板をそのまま利用し、又は、一般に普及している屋根材としての金属板に最小限の加工の手間を施すだけで、通気層に溜まった湿気を排出させることができる金属板葺き屋根を提供することである。
【課題を解決するための手段】
【０００８】
本発明の第１の課題解決手段は、一端に水平方向に設けられた嵌め込み用凸部と他端寄りに水平方向に設けられた嵌め込み用凹部とを有する金属板を複数枚用い、一方の金属板の嵌め込み用凸部の先端部を他方の金属板の嵌め込み用凹部の最奥部まで水平方向に嵌め込み、一方の金属板の嵌め込み用凸部の先端部と他方の金属板の嵌め込み用凹部の最奥部とを接触させ、連結し、屋根下地材上に固定した金属板の横葺き屋根であって、一方の金属板の嵌め込み用凸部の一部をクリップで挟むことによって、一方の金属板の嵌め込み用凸部の先端部がクリップによって阻害されて、他方の金属板の嵌め込み用凹部の最奥部まで到達できないことにより、一方の金属板の嵌め込み用凸部の先端部と他方の金属板の嵌め込み用凹部の最奥部との間に外気に通じる隙間を設けたことを特徴とするものである。
【０００９】
本発明の第２の課題解決手段は、第１の課題解決手段と同じ前提の金属板の横葺き屋根であって、一方の金属板の嵌め込み用凸部の一部の上部及び下部に突起を設けることによって、一方の金属板の嵌め込み用凸部の先端部が上部及び下部の突起によって阻害されて、他方の金属板の嵌め込み用凹部の最奥部まで到達できないことにより、一方の金属板の嵌め込み用凸部の先端部と他方の金属板の嵌め込み用凹部の最奥部との間に外気に通じる隙間を設けたことを特徴とするものである。
【００１０】
本発明の第３の課題解決手段は、第１の課題解決手段と同じ前提の金属板の横葺き屋根であって、一方の金属板の嵌め込み用凸部の先端部の一部に突起を設けることによって、  一方の金属板の嵌め込み用凸部の先端部と他方の金属板の嵌め込み用凹部の最奥部との間における突起の両側部分に外気に通じる隙間を設けたことを特徴とするものである。
【００１１】
本発明の第４の課題解決手段は、一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、を有する金属板を複数枚用い、一方の金属板の嵌め込み用凹部を他方の金属板の嵌め込み用凸部に垂直方向に嵌め込み、一方の金属板の嵌め込み用凹部の第一のくびれ部と他方の金属板の嵌め込み用凸部の第三のくびれ部とを密着させると同時に、一方の金属板の嵌め込み用凹部の第二のくびれ部と他方の金属板の嵌め込み用凸部の第四のくびれ部とを密着させ、更に一方の金属板の裏側に対して他方の金属板の第二の水返し部の上部を密着又は近接させて配置し、連結することによって、屋根下地材上に固定した金属板の縦葺き屋根であって、一方の金属板の第一の水返し部の一部をクリップで挟み、かつ、その際に、他方の金属板の第三のくびれ部の上部の一部を上方からクリップの一端で押さえつけるように挟むことにより、一方の金属板の第一のくびれ部と他方の金属板の第三のくびれ部との間におけるクリップの両側部分に隙間を設け、更に他方の金属板の第二の水返し部の一部をクリップで挟むことにより、一方の金属板の第二のくびれ部と他方の金属板の第四のくびれ部との間に隙間を設けると同時に、一方の金属板の裏側と他方の金属板の第二の水返し部との間におけるクリップの両側部分に隙間を設けたことを特徴とするものである。
【００１２】
本発明の第５の課題解決手段は、第４の課題解決手段と同じ前提の金属板の縦葺き屋根であって、一方の金属板の第一の水返し部の一部をクリップで挟み、かつ、その際に、他方の金属板の第三のくびれ部の上部の一部を上方からクリップの一端で押さえつけるように挟むことにより、一方の金属板の第一のくびれ部と他方の金属板の第三のくびれ部との間におけるクリップの両側部分に隙間を設け、更に他方の金属板の嵌め込み用凸部の頭頂部から両側の下方に続く側面部にかけた任意の場所に孔を設けたことを特徴とするものである。
【００１３】
本発明の第６の課題解決手段は、第４の課題解決手段と同じ前提の金属板の縦葺き屋根であって、他方の金属板の第二の水返し部の一部をクリップで挟むことにより、一方の金属板の第二のくびれ部と他方の金属板の第四のくびれ部との間に隙間を設けると同時に、一方の金属板の裏側と他方の金属板の第二の水返し部との間におけるクリップの両側部分に隙間を設け、更に一方の金属板の嵌め込み用凹部の頭頂部から両側の下方に続く側面部にかけた任意の場所に孔を設けたことを特徴とするものである。
【００１４】
本発明の第７の課題解決手段は、第４の課題解決手段と同じ前提の金属板の縦葺き屋根であって、他方の金属板の嵌め込み用凸部の一部を垂直方向に略楔形のクリップで挟むことにより、一方の金属板の第一のくびれ部と他方の金属板の第三のくびれ部との間における略楔形のクリップの両側部分と、一方の金属板の第二のくびれ部と他方の金属板の第四のくびれ部との間における略楔形のクリップの両側部分のそれぞれに隙間を設けると同時に、一方の金属板の裏側と他方の金属板の第二の水返し部との間に隙間を設けたことを特徴とするものである。
【００１５】
本発明の第８の課題解決手段は、第４の課題解決手段と同じ前提の金属板の縦葺き屋根であって、他方の金属板の第三のくびれ部の下部の一部に第一の突起を、第四のくびれ部の下部の一部に第二の突起を、それぞれ設けることにより、一方の金属板の第一のくびれ部と他方の金属板の第三のくびれ部との間における第一の突起の両側部分と、一方の金属板の第二のくびれ部と他方の金属板の第四のくびれ部との間における第二の突起の両側部分のそれぞれに隙間を設け、更に他方の金属板の第二の水返し部の上部の一部に第三の突起を設けることにより、一方の金属板の裏側と他方の金属板の第二の水返し部との間における第三の突起の両側部分に隙間を設けたことを特徴とするものである。
【００１６】
本発明の第９の課題解決手段は、第４の課題解決手段と同じ前提の金属板の縦葺き屋根であって、他方の金属板の第三のくびれ部の下部の一部に第一の突起を設けることにより、一方の金属板の第一のくびれ部と他方の金属板の第三のくびれ部との間における第一の突起の両側部分に隙間を設け、更に他方の金属板の第二の水返し部の上部の一部に第三の突起を設けることにより、一方の金属板の第二のくびれ部と他方の金属板の第四のくびれ部との間に隙間を設けると同時に、一方の金属板の裏側と他方の金属板の第二の水返し部との間における第三の突起の両側部分に隙間を設けたことを特徴とするものである。
【００１７】
本発明の第１０の課題解決手段は、第４の課題解決手段と同じ前提の金属板の縦葺き屋根であって、他方の金属板の第三のくびれ部の下部の一部に第一の突起を設けることにより、一方の金属板の第一のくびれ部と他方の金属板の第三のくびれ部との間における第一の突起の両側部分に隙間を設け、更に他方の金属板の嵌め込み用凸部の頭頂部から両側の下方に続く側面部にかけた任意の場所に孔を設けたことを特徴とするものである。
【００１８】
本発明の第１１の課題解決手段は、第４の課題解決手段と同じ前提の金属板の縦葺き屋根であって、他方の金属板の第四のくびれ部の下部の一部に第二の突起を設けることにより、一方の金属板の第二のくびれ部と他方の金属板の第四のくびれ部との間における第二の突起の両側部分に隙間を設け、更に他方の金属板の第二の水返し部の上部の一部に第三の突起を設けることにより、一方の金属板の裏側と他方の金属板の第二の水返し部との間における第三の突起の両側部分に隙間を設け、更に一方の金属板の嵌め込み用凹部の頭頂部から両側の下方に続く側面部にかけた任意の場所に孔を設けたことを特徴とするものである。
【００１９】
本発明の第１２の課題解決手段は、第４の課題解決手段と同じ前提の金属板の縦葺き屋根であって、他方の金属板の第二の水返し部の上部の一部に第三の突起を設けることにより、一方の金属板の第二のくびれ部と他方の金属板の第四のくびれ部との間に隙間を設けると同時に、一方の金属板の裏側と他方の金属板の第二の水返し部との間における第三の突起の両側部分に隙間を設け、更に一方の金属板の嵌め込み用凹部の頭頂部から両側の下方に続く側面部にかけた任意の場所に孔を設けたことを特徴とするものである。
【００２０】
本発明の第１３の課題解決手段は、第４、５、６、７、８、９、１０、１１、又は１２の課題解決手段のいずれかであって、屋根下地材の表面に複数の凸体が点状に設けられたことを特徴とするものである。
【発明の効果】
【００２１】
本発明の第１〜３の課題解決手段は、例え通気が少なくても（積極的に空気の流れの力を借りなくても）、通気層に溜まった湿気を、外気に通じる隙間から排出させることができる。
さらに、金属板裏面の結露の発生も抑制することができる。
【００２２】
なぜ通気層に溜まった湿気を隙間から排出させることができるかについては、湿気は、例え通気が少なくても、蒸気圧の高い方から低い方に移動するという拡散現象で説明することができる。
つまり、湿気は、温かいところから冷たい方へ、湿気の多い所から乾燥した所へ、と移動する。
よって、通気層に溜まった湿気は、隙間を通じて乾燥した外気へ移動することとなる。
さらに、日差しを浴びた金属葺き屋根の通気層は暖められるため、隙間を通じて、通気層より冷たい外気へ移動することとなる。
【００２３】
さらに、本発明の第１〜３の課題解決手段は、その製造に大変な加工の手間がかかる特殊な形状の屋根用資材全般を必要とすることなく、一般に普及している屋根材としての金属板をそのまま利用し、その金属板の嵌め込み用凸部の一部をクリップで単に挟むだけで、又は一般に普及している屋根材としての金属板に最小限の加工の手間を施すだけで、通気層に溜まった湿気を簡易に排出させることができる。
【００２４】
本発明の第４〜１２の課題解決手段は、例え通気が少なくても、通気層に溜まった湿気を、クリップや突起の両側部分に設けた外気に通じる隙間や、孔から排出させることができる。
さらに、金属板裏面の結露の発生も抑制することができる。
【００２５】
本発明の第１３の課題解決手段は、第４〜１２の課題解決手段が奏する効果の他、通常の野地板上に敷かれたルーフィングからなる屋根下地材の場合は、通気層が狭いものとなるが、屋根下地材の表面に複数の凸体が点状に設けられた場合には、金属板が複数の凸体に支持されることにより、その分だけ通気層が広くなることから、湿気がより移動し易くなり、通気層に溜まった湿気をいっそう簡易に排出させることができる。
【００２６】
さらに、本発明の第４〜１２の課題解決手段は、その製造に大変な加工の手間がかかる特殊な形状の屋根用資材全般を必要とすることなく、一般に普及している屋根材としての金属板をそのまま利用し、その金属板の嵌め込み用凸部や凹部の一部分をクリップで単に挟むだけで、又は一般に普及している屋根材としての金属板に最小限の加工の手間を施すだけで、通気層に溜まった湿気を簡易に排出させることができる。
【図面の簡単な説明】
【００２７】
【図１】金属板横葺き屋根の一部の斜視図
【図２】金属板の斜視図
【図３】金属板同士を嵌め込む際の部分拡大説明図（ａ）及び（ｂ）
【図４】本発明の実施の形態１の部分拡大説明図
【図５】図４のＡ−Ａ線の断面拡大説明図
【図６】本発明の実施の形態１の金属板の斜視図
【図７】クリップの説明図
【図８】本発明の実施の形態２の部分拡大説明図
【図９】本発明の実施の形態３の部分拡大説明図
【図１０】金属板縦葺き屋根の一部の斜視図
【図１１】金属板の斜視図
【図１２】金属板同士を嵌め込む際の部分拡大説明図（ａ）及び（ｂ）
【図１３】本発明の実施の形態４の部分拡大説明図
【図１４】図１３のＡ−Ａ線の断面拡大説明図
【図１５】本発明の別の実施の形態の部分拡大説明図
【図１６】本発明の実施の形態５の部分拡大説明図（ａ）及び本発明の実施の形態６の部分拡大説明図（ｂ）
【図１７】本発明の実施の形態７の部分拡大説明図
【図１８】本発明の実施の形態８の部分拡大説明図（ａ）及び本発明の実施の形態９の部分拡大説明図（ｂ）
【図１９】本発明の実施の形態１０の部分拡大説明図
【図２０】本発明の実施の形態１１の部分拡大説明図（ａ）及び本発明の実施の形態１２の部分拡大説明図（ｂ）
【発明を実施するための形態】
【００２８】
本発明の実施の形態１の金属板葺き屋根１０を以下のとおり説明する（図１〜７参照）。
【００２９】
金属板葺き屋根１０は、一般に普及している屋根材である塗装済みの鋼板からなる金属板１２を複数枚連結し、野地板上に敷かれたルーフィングからなる屋根下地材２２の上に、軒から棟の方向に対する直交方向に横葺きに葺いたものである。
なお、横葺きには、平葺きと段葺きとがある。
また、断熱材付きのものと断熱材付きではないものとがある。
また、金属板１２は、鋼板からなるものに限定されず、一般に普及している屋根材である金属板であればどの様なものであっても良い。
【００３０】
金属板１２は、主に、軒側に配置する一端に水平方向に設けられた嵌め込み用凸部１４と、棟側に配置する他端寄りに水平方向に設けられた嵌め込み用凹部１６と、嵌め込み用凸部１４と嵌め込み用凹部１６との間にある平面部１５と、が屋根材として加工されて設けられたものである。
なお、嵌め込み用凸部１４と嵌め込み用凹部１６とは、互いに対向した位置に設けられている。
また、嵌め込み用凹部１６は、水平方向に奥に進むにつれて、狭い空間となるように設けられている。
【００３１】
複数の金属板１２は、互いに、一方の金属板１２の嵌め込み用凸部１４の先端部１８を他方の金属板１２ａの嵌め込み用凹部１６の最奥部２０まで水平方向に嵌め込み、一方の金属板１２の嵌め込み用凸部１４の先端部１８と他方の金属板１２ａの嵌め込み用凹部１６の最奥部２０とを接触させ、連結し、屋根下地材２２上に固定される。
これにより、通常は、互いに連結された複数の金属板１２と屋根下地材２２との間の空間である通気層２６が、ほぼ気密状態となる。
【００３２】
なお、その際には、他方の金属板１２ａの嵌め込み用凹部１６の更に棟側に位置する端部が、等間隔で、屋根下地材２２上にビス２４によって固定される。
また、嵌め込み用凸部１４の形状と嵌め込み用凹部１６の形状は、互いに水平方向に嵌め込みが可能な凸形状と凹形状のものであれば、どの様なものであっても良い。
【００３３】
しかし、複数の金属板１２を互いに連結する際に、予め、一方の金属板１２の嵌め込み用凸部１４の一部となる、所定の間隔の複数箇所を、一般に普及している書類留め用のスライドクリップと呼ばれるクリップ３２で挟むことによって、一方の金属板１２の嵌め込み用凸部１４の先端部１８がクリップ３２によって阻害されて、他方の金属板１２ａの嵌め込み用凹部１６の最奥部２０まで到達できないことにより、一方の金属板１２の嵌め込み用凸部１４の先端部１８と他方の金属板１２ａの嵌め込み用凹部１６の最奥部２０との間に外気に通じる隙間３４を設けることができる。
【００３４】
なお、一方の金属板１２の嵌め込み用凸部１４の先端部１８がクリップ３２によって阻害される場合とは、クリップ３２の上部及び下部が、他方の金属板１２ａの嵌め込み用凹部１６の途中で引っかかり、一方の金属板１２の嵌め込み用凸部１４がそれ以上奥に進めずに止まってしまう場合や、例え一方の金属板１２の嵌め込み用凸部１４が他方の金属板１２ａの嵌め込み用凹部１６内に進んだとしても、一方の金属板１２の嵌め込み用凸部１４の先端部１８と他方の金属板１２ａの嵌め込み用凹部１６の最奥部２０との間にクリップ３２が介在している場合をいう。
【００３５】
また、一方の金属板１２の嵌め込み用凸部１４の先端部１８と他方の金属板１２ａの嵌め込み用凹部１６の最奥部２０との間にクリップ３２が介在している場合においては、一方の金属板１２の嵌め込み用凸部１４の先端部１８と他方の金属板１２ａの嵌め込み用凹部１６の最奥部２０との間に、クリップ３２の厚みの分だけの隙間３４が、クリップ３２の両側部分に設けられることとなる。
【００３６】
外気に通じる隙間３４を設けることで、一方の金属板１２の嵌め込み用凸部１４の一部の上部３０側のクリップ３２の両側部分の空間３３と、隙間３４と、一方の金属板１２の嵌め込み用凸部１４の一部の下部２８側のクリップ３２の両側部分の空間３５とがつながり、外気と通気層２６との通り道を形成することができる。
【００３７】
これにより、例え通気が少なくても、通気層２６に溜まった湿気を、外気に通じる隙間３４から、矢印Ｃで表すように、排出させることができる。
さらに、金属板裏面の結露の発生も抑制することができる。
【００３８】
なお、クリップ３２は、金属製や樹脂製などの材質にこだわることなく、上面と下面との間で対象物を挟むことのできる挟み具としての機能を有するものであれば、どの様な形状のものでも良い。
その他、ゼムクリップ、ダブルクリップ、マネークリップ、洗濯挟み等と呼ばれるものであっても良い。
【００３９】
なお、クリップ３２で挟む箇所は、所定の間隔の複数箇所に限られず、長手方向の嵌め込み用凸部１４の任意の一部で構わない。
【００４０】
本発明の実施の形態２の金属板葺き屋根１０を以下のとおり説明する（図１〜３、８参照）。
【００４１】
本発明の実施の形態２の金属板葺き屋根１０は、本発明の実施の形態１の金属板葺き屋根１０において、クリップ３２を用いるのではなく、複数の金属板１２を互いに連結する際に、予め、一方の金属板１２の嵌め込み用凸部１４の一部となる、所定の間隔の複数箇所の上部３０に、上方に突き出た三角柱状の突起４２を設けると同時に、一方の金属板１２の嵌め込み用凸部１４の一部となる、所定の間隔の複数箇所の下部２８に、下方に突き出た三角柱状の突起４４を設けた点で異なるものである。
このため、本発明の実施の形態１の金属板葺き屋根１０と共通する部分の説明は省略し、更に共通する部分の符号は同じ符号を使用する。
【００４２】
なお、突起４２、４４は、嵌め込み用凸部１４の上部と下部の上下の垂直方向に互い違いに並べられて設けられている。
また、突起４２、４４は、先端が、尖った形状又は突き出た形状であれば良く、半球状、円錐状、四角錐状、三角錐状、サイコロ状など、どの様なものであっても良い。
【００４３】
そして、一方の金属板１２の嵌め込み用凸部１４の一部の上部３０に突起４２を、下部２８に突起４４を設けることによって、一方の金属板１２の嵌め込み用凸部１４の先端部１８が突起４２、４４によって阻害されて、他方の金属板１２ａの嵌め込み用凹部１６の最奥部２０まで到達できないことにより、一方の金属板１２の嵌め込み用凸部１４の先端部１８と他方の金属板１２ａの嵌め込み用凹部１６の最奥部２０との間に外気に通じる隙間３４を設けることができる。
【００４４】
なお、一方の金属板１２の嵌め込み用凸部１４の先端部１８が突起４２、４４によって阻害される場合とは、突起４２、４４のそれぞれが、他方の金属板１２ａの嵌め込み用凹部１６の途中で引っかかり、一方の金属板１２の嵌め込み用凸部１４がそれ以上奥に進めずに止まってしまう場合をいう。
【００４５】
外気に通じる隙間３４を設けることで、一方の金属板１２の嵌め込み用凸部１４の一部の上部３０に設けられた突起４２の両側部分の空間（図示しない）と、隙間３４と、一方の金属板１２の嵌め込み用凸部１４の一部の下部２８に設けられた突起４４の両側部分の空間（図示しない）とがつながり、外気と通気層２６との通り道を形成することができる。
【００４６】
これにより、例え通気が少なくても、通気層２６に溜まった湿気を、外気に通じる隙間３４から、矢印Ｃで表すように、排出させることができる。
さらに、金属板裏面の結露の発生も抑制することができる。
【００４７】
なお、突起４２を設ける箇所は、所定の間隔の複数箇所に限られず、長手方向の嵌め込み用凸部１４の任意の一部の上部３０で構わない。
また、突起４４を設ける箇所は、所定の間隔の複数箇所に限られず、長手方向の嵌め込み用凸部１４の任意の一部の下部２８で構わない。
【００４８】
なお、突起４２、４４は、嵌め込み用凸部１４の上部と下部の上下に垂直方向に並べて設けても良い。
また、上方に突き出た突起４２と下方に突き出た突起４４とを上下に有する一体型の突起として、一方の金属板１２の嵌め込み用凸部１４の一部に設けても良い。
【００４９】
本発明の実施の形態３の金属板葺き屋根１０を以下のとおり説明する（図１〜３、９参照）。
【００５０】
本発明の実施の形態３の金属板葺き屋根１０は、本発明の実施の形態１の金属板葺き屋根１０において、クリップ３２を用いるのではなく、複数の金属板１２を互いに連結する際に、予め、一方の金属板１２の嵌め込み用凸部１４の先端部１８の一部となる、所定の間隔の複数箇所に、半球状の突起４３を、他方の金属板１２ａの嵌め込み用凹部１６の最奥部２０の方向に突き出た状態となるように設けた点で異なるものである。
このため、本発明の実施の形態１の金属板葺き屋根１０と共通する部分の説明は省略し、更に共通する部分の符号は同じ符号を使用する。
【００５１】
なお、突起４３は、先端が、尖った形状又は突き出た形状であれば良く、三角錐状、円錐状、四角錐状、三角錐状、サイコロ状など、どの様なものであっても良い。
【００５２】
そして、一方の金属板１２の嵌め込み用凸部１４の先端部１８に突起４３を設けることによって、一方の金属板１２の嵌め込み用凸部１４の先端部１８と他方の金属板１２ａの嵌め込み用凹部１６の最奥部２０との間における突起４３の両側部分に外気に通じる隙間３４を設けることができる。
【００５３】
なお、突起４３の両側部分の隙間３４は、一方の金属板１２の嵌め込み用凸部１４の先端部１８と他方の金属板１２ａの嵌め込み用凹部１６の最奥部２０との接触が、突起４３がその間に挟まることによって阻害されて、発生してできたものである。
【００５４】
これにより、例え通気が少なくても、通気層２６に溜まった湿気を、外気に通じる隙間３４から、矢印Ｃで表すように、排出させることができる。
さらに、金属板裏面の結露の発生も抑制することができる。
【００５５】
なお、突起４３を設ける箇所は、所定の間隔の複数箇所に限られず、長手方向の嵌め込み用凸部１４の先端部１８の任意の一部で構わない。
【００５６】
本発明の実施の形態４の金属板葺き屋根４６を以下のとおり説明する（図１０〜１４参照）。
【００５７】
金属板葺き屋根４６は、一般に普及している屋根材である塗装済みの鋼板からなる金属板４８を複数枚連結し、野地板上に敷かれたルーフィングからなる屋根下地材７８の上に、軒から棟の方向に縦葺きに葺いたものである。
なお、縦葺きには、立平葺きと瓦棒葺きとがあり、更に立平葺きには、嵌合式と馳（ハゼ）式とがあり、本実施形態は、嵌合式の立平葺きである。
また、金属板４８は、鋼板からなるものに限定されず、一般に普及している屋根材である金属板であればどの様なものであっても良い。
【００５８】
金属板４８は、主に、一端に垂直方向に設けられた嵌め込み用凹部６０と、他端に垂直方向に設けられた嵌め込み用凸部７２と、嵌め込み用凹部６０と嵌め込み用凸部７２との間にある平面部６１と、が屋根材として加工されて設けられたものである。
なお、嵌め込み用凹部６０と嵌め込み用凸部７２とは、互いに勘合可能な形状に設けられ、かつ、対向した位置に設けられている。
【００５９】
嵌め込み用凹部６０は、頭頂部５０と、頭頂部５０から両側の下方に続く側面部５２、５２ａと、一側の側面部５２の下方に続く第一のくびれ部５４と他側の側面部５２ａの下方に続く第二のくびれ部５６とを備え、かつ、第一のくびれ部５４から更に下方に伸びた第一の水返し部５８とを備えた略楔形のものである。
【００６０】
嵌め込み用凸部７２は、頭頂部６２と、頭頂部６２から両側の下方に続く側面部６４、６４ａと、一側の側面部６４の下方に続く第三のくびれ部６６と他側の側面部６４ａの下方に続く第四のくびれ部６８とを備えた略楔形であり、かつ、第四のくびれ部６８から更に下方に直角線状に伸びた第二の水返し部７０とを備えたものである。
【００６１】
複数の金属板４８は、互いに、一方の金属板４８の嵌め込み用凹部６０を他方の金属板４８ａの嵌め込み用凸部７２に垂直方向に嵌め込み、一方の金属板４８の嵌め込み用凹部６０の第一のくびれ部５４と他方の金属板４８ａの嵌め込み用凸部７２の第三のくびれ部６６とを互いに密着させると同時に、一方の金属板４８の嵌め込み用凹部６０の第二のくびれ部５６と他方の金属板４８ａの嵌め込み用凸部７２の第四のくびれ部６８とを互いに密着させ、更に一方の金属板４８の裏側７４と他方の金属板４８ａの第二の水返し部７０の上部７６とを密着させ、連結することよって、屋根下地材７８上にビス留めされて固定される。
【００６２】
一方の金属板４８の第一のくびれ部５４と他方の金属板４８ａの第三のくびれ部６６との密着、及び一方の金属板４８の第二のくびれ部５６と他方の金属板４８ａの第四のくびれ部６８との密着は、金属板自体が持つ弾性力を利用した密着させるための形状加工や、金属板の加工によるスプリングバック（材料を曲げ加工したとき、工具を離すと、材料に施した変形が若干もとに戻る現象。「デジタル大辞泉」より。）を利用したものである。
これにより、通常は、互いに連結された複数の金属板４８と屋根下地材７８との間の空間である通気層８０が、ほぼ気密状態となる。
【００６３】
しかし、複数の金属板４８を互いに連結する際に、予め、他方の金属板４８ａの第二の水返し部７０の一部となる、所定の間隔の複数箇所を、挟み具であるクリップ８２で挟むことにより、一方の金属板４８の第二のくびれ部５６と他方の金属板４８ａの第四のくびれ部６８との間に隙間８４を設けると同時に、一方の金属板４８の裏側７４と他方の金属板４８ａの第二の水返し部７０との間におけるクリップ８２の両側部分に隙間（図示しない）を設けることができる。
【００６４】
なお、一方の金属板４８の裏側７４と他方の金属板４８ａの第二の水返し部７０の上部７６とが密着することなく、僅かな間を開けて、一方の金属板４８の裏側７４に対して他方の金属板４８ａの第二の水返し部７０の上部７６を近接させて配置している場合においても、同様に、他方の金属板４８ａの第二の水返し部７０の一部を、挟み具であるクリップ８２で挟むことにより、一方の金属板４８の第二のくびれ部５６と他方の金属板４８ａの第四のくびれ部６８との間に隙間８４を設けると同時に、一方の金属板４８の裏側７４と他方の金属板４８ａの第二の水返し部７０との間におけるクリップ８２の両側部分に隙間（図示しない）を設けることができる。
【００６５】
また、隙間８４は、他方の金属板４８ａの第二の水返し部７０の一部をクリップ８２で挟むことにより、第二の水返し部７０と繋がっている第四のくびれ部６８が、内側に押されるように変形して一方の金属板４８の第二のくびれ部５６から離れることにより、発生してできたものである。
【００６６】
クリップ８２の両側部分の隙間（図示しない）は、一方の金属板４８の裏側７４と他方の金属板４８ａの第二の水返し部７０の上部７６との密着が、クリップ８２がその間に挟まることによって阻害されて、発生してできたものである。
【００６７】
さらに、複数の金属板４８を互いに連結する際に、予め、一方の金属板４８の第一の水返し部５８の一部となる、所定の間隔の複数箇所を、挟み具であるクリップ８８で挟み、かつ、その際に、他方の金属板４８ａの第三のくびれ部６６の上部６７の一部を上方からクリップ８８の一端で押さえつけるように挟むことにより、一方の金属板４８の第一のくびれ部５４と他方の金属板４８ａの第三のくびれ部６６との間におけるクリップ８８の両側部分に、通気層８０と外気とに通じる隙間８６を設けることができる。
【００６８】
クリップ８８の両側部分の隙間８６は、一方の金属板４８の第一のくびれ部５４と他方の金属板４８ａの第三のくびれ部６６との密着が、クリップ８８の一端がその間に挟まることによって阻害されて、発生してできたものである。
【００６９】
これにより、例え通気が少なくても、通気層８０に溜まった湿気を、外クリップ８２の両側部分の隙間（図示しない）と、隙間８４と、クリップ８８の両側部分の隙間８６とを通じて、矢印Ｅで表すように、排出させることができる。
さらに、金属板裏面の結露の発生も抑制することができる。
【００７０】
なお、クリップ８２、８８は、金属製や樹脂製などの材質にこだわることなく、上面と下面との間で対象物を挟むことのできる挟み具としての機能を有するものであれば、どの様な形状のものでも良い。
【００７１】
例えば、一般に普及している書類留め用のスライドクリップと呼ばれる形状のものであっても良い。
その他、ゼムクリップ、ダブルクリップ、マネークリップ、洗濯挟み等と呼ばれるものであっても良い。
【００７２】
なお、クリップ８２、８８で挟む箇所は、所定の間隔の複数箇所に限られず、長手方向の第一の水返し部５８や同じく長手方向の第二の水返し部７０の任意の一部で構わない。
【００７３】
また、本実施形態において、屋根下地材７８を、その表面に複数の凸体９０を点状に設けたものとしても良い（図１５参照）。
通常の屋根下地材の場合は、互いに連結された複数の金属板４８と屋根下地材７８との間の通気層８０が狭いものとなるが、屋根下地材７８の表面に複数の凸体９０が点状に設けられた場合には、互いに連結された複数の金属板４８が複数の凸体９０に支持されることにより、その分だけ通気層８０が広くなることから、湿気がより移動し易くなり、通気層８０に溜まった湿気を、いっそう簡易に排出させることができる。
なお、複数の凸体９０は点状に設けられているため、屋根下地材７８上の湿気は滞ることなく、凸体９０と凸体９０の間を移動することができる。
【００７４】
さらに、凸体９０の形状は、その断面が、半円状、四角状、三角状など、凸体を成すものであればどの様な形状であっても良い。
なお、複数の凸体９０の点状の配置は、任意なもので良く、整列させても良いし、互い違いに並べても良い。
【００７５】
次に、本発明の実施の形態５の金属板葺き屋根４６を以下のとおり説明する（図１４、１６（ａ）参照）。
【００７６】
本発明の実施の形態５の金属板葺き屋根４６は、本発明の実施の形態４の金属板葺き屋根４６において、一方の金属板４８の第一の水返し部５８の一部となる、所定の間隔の複数箇所を、挟み具であるクリップ８８で挟み、かつ、その際に、他方の金属板４８ａの第三のくびれ部６６の上部６７の一部を上方からクリップ８８の一端で押さえつけるように挟むことにより、一方の金属板４８の第一のくびれ部５４と他方の金属板４８ａの第三のくびれ部５６との間におけるクリップ８８の両側部分に隙間８６を設け、更に他方の金属板４８ａの嵌め込み用凸部７２の頭頂部６２の所定の間隔の複数箇所に、孔９２を設けた点で異なるものである。
このため、本発明の実施の形態４の金属板葺き屋根４６と共通する部分の説明は省略し、更に共通する部分の符号は同じ符号を使用する。
【００７７】
なお、孔９２は、他方の金属板４８ａの嵌め込み用凸部７２の頭頂部６２から両側の下方に続く側面部６４、６４ａにかけた任意の場所に設ければ良い。
また、孔９２は、複数設けても良い。
【００７８】
これにより、例え通気が少なくても、通気層８０に溜まった湿気を、隙間８６と、孔９２とを通じて、矢印Ｅで表すように、排出させることができる。
さらに、金属板裏面の結露の発生も抑制することができる。
【００７９】
なお、クリップ８８で挟む箇所は、所定の間隔の複数箇所に限られず、長手方向の第一の水返し部５８の任意の一部で構わない。
【００８０】
次に、本発明の実施の形態６の金属板葺き屋根４６を以下のとおり説明する（図１６（ｂ）参照）。
【００８１】
本発明の実施の形態６の金属板葺き屋根４６は、本発明の実施の形態４の金属板葺き屋根４６において、他方の金属板４８ａの第二の水返し部７０の一部となる、所定の間隔の複数箇所を、挟み具であるクリップ８２で挟むことにより、一方の金属板４８の第二のくびれ部５６と他方の金属板４８ａの第四のくびれ部６８との間に隙間８４を設けると同時に、一方の金属板４８の裏側７４と他方の金属板４８ａの第二の水返し部７０との間におけるクリップ８２の両側部分に隙間（図示しない）を設け、更に一方の金属板４８の嵌め込み用凹部６０の頭頂部５０の所定の間隔の複数箇所に、孔９４を設けた点で異なるものである。
このため、本発明の実施の形態４の金属板葺き屋根４６と共通する部分の説明は省略し、更に共通する部分の符号は同じ符号を使用する。
【００８２】
なお、一方の金属板４８の裏側７４と他方の金属板４８ａの第二の水返し部７０の上部７６とが密着することなく、僅かな間を開けて、一方の金属板４８の裏側７４に対して他方の金属板４８ａの第二の水返し部７０の上部７６を近接させて配置している場合においても、同様に、他方の金属板４８ａの第二の水返し部７０の一部となる、所定の間隔の複数箇所を、挟み具であるクリップ８２で挟むことにより、一方の金属板４８の第二のくびれ部５６と他方の金属板４８ａの第四のくびれ部６８との間に隙間８４を設けると同時に、一方の金属板４８の裏側７４と他方の金属板４８ａの第二の水返し部７０との間におけるクリップ８２の両側部分に隙間（図示しない）を設けることができる。
【００８３】
また、隙間８４は、他方の金属板４８ａの第二の水返し部７０の一部をクリップ８２で挟むことにより、第二の水返し部７０と繋がっている第四のくびれ部６８が、内側に押されるように変形して一方の金属板４８の第二のくびれ部５６から離れることにより、発生してできたものである。
【００８４】
なお、孔９４は、一方の金属板４８の嵌め込み用凹部６０の頭頂部５０から両側の下方に続く側面部５２、５２ａにかけた任意の場所に設ければ良い。
また、孔９４は、複数設けても良い。
【００８５】
これにより、例え通気が少なくても、通気層８０に溜まった湿気を、クリップ８２の両側部分の隙間（図示しない）と、隙間８４と、孔９４とを通じて、矢印Ｅで表すように、排出させることができる。
さらに、金属板裏面の結露の発生も抑制することができる。
【００８６】
なお、クリップ８２で挟む箇所は、所定の間隔の複数箇所に限られず、長手方向の第二の水返し部７０の任意の一部で構わない。
【００８７】
次に、本発明の実施の形態７の金属板葺き屋根４６を以下のとおり説明する（図１７参照）。
【００８８】
本発明の実施の形態７の金属板葺き屋根４６は、本発明の実施の形態４の金属板葺き屋根４６において、他方の金属板４８ａの嵌め込み用凸部７２の一部となる、所定の間隔の複数箇所を、垂直方向に略楔形の挟み具であるクリップ９６で覆うように挟むことにより、一方の金属板４８の第一のくびれ部５４と他方の金属板４８ａの第三のくびれ部６６との間における略楔形のクリップ９６の両側部分と、一方の金属板４８の第二のくびれ部５６と他方の金属板４８ａの第四のくびれ部６８との間における略楔形のクリップ９６の両側部分のそれぞれに隙間（図示しない）を設けると同時に、一方の金属板４８の裏側７４と他方の金属板４８ａの第二の水返し部７０との間に隙間９８を設けた点で異なるものである。
このため、本発明の実施の形態４の金属板葺き屋根４６と共通する部分の説明は省略し、更に共通する部分の符号は同じ符号を使用する。
【００８９】
一方の金属板４８の第一のくびれ部５４と他方の金属板４８ａの第三のくびれ部６６との間における略楔形のクリップ９６の両側部分の隙間（図示しない）は、一方の金属板４８の第一のくびれ部５４と他方の金属板４８ａの第三のくびれ部６６との密着が、他方の金属板４８ａの嵌め込み用凸部７２の一部を垂直方向に略楔形のクリップ９６で挟むことによって阻害されて、発生してできたものである。
【００９０】
一方の金属板４８の第二のくびれ部５６と他方の金属板４８ａの第四のくびれ部６８との間における略楔形のクリップ９６の両側部分の隙間（図示しない）は、一方の金属板４８の第二のくびれ部５６と他方の金属板４８ａの第四のくびれ部６８との密着が、他方の金属板４８ａの嵌め込み用凸部７２の一部を垂直方向に略楔形のクリップ９６で挟むことによって阻害されて、発生してできたものである。
【００９１】
隙間９８は、他方の金属板４８ａの嵌め込み用凸部７２の一部を垂直方向に略楔形のクリップ９６で覆うように挟むことにより、第四のくびれ部６８と繋がっている第二の水返し部７０が、下方に押されるように変形して一方の金属板４８の裏側７４から離れることにより、発生してできたものである。
【００９２】
なお、一方の金属板４８の裏側７４と他方の金属板４８ａの第二の水返し部７０の上部７６とが密着することなく、僅かな間を開けて、一方の金属板４８の裏側７４に対して他方の金属板４８ａの第二の水返し部７０の上部７６を近接させて配置している場合においても、同様に、改めて隙間９８を設けることができる。
【００９３】
また、略楔形のクリップ９６は、挟み具としての機能を備えるほか、嵌め込み用凹部６０又は嵌め込み用凸部７２の略楔形に倣った形状のものであれば良い。
【００９４】
これにより、例え通気が少なくても、通気層８０に溜まった湿気を、一方の金属板４８の第一のくびれ部５４と他方の金属板４８ａの第三のくびれ部６６との間における略楔形のクリップ９６の両側部分の隙間（図示しない）と、一方の金属板４８の第二のくびれ部５６と他方の金属板４８ａの第四のくびれ部６８との間における略楔形のクリップ９６の両側部分の隙間（図示しない）と、隙間９８とを通じて、矢印Ｅで表すように、排出させることができる。
さらに、金属板裏面の結露の発生も抑制することができる。
【００９５】
なお、クリップ９６で挟む箇所は、所定の間隔の複数箇所に限られず、長手方向の嵌め込み用凸部７２の任意の一部で構わない。
【００９６】
次に、本発明の実施の形態８の金属板葺き屋根４６を以下のとおり説明する（図１８（ａ）参照）。
【００９７】
本発明の実施の形態８の金属板葺き屋根４６は、本発明の実施の形態３の金属板葺き屋根４６において、クリップ８２、８８を用いるのではなく、複数の金属板４８を互いに連結する際に、予め、他方の金属板４８ａの第三のくびれ部６６の下部の一部となる、所定の間隔の複数箇所に、下方に突き出た半球状の第一の突起１００を、第四のくびれ部６８の下部の一部となる、所定の間隔の複数箇所に、下方に突き出た半球状の第二の突起１０２を、それぞれ加工して設けることにより、一方の金属板４８の第一のくびれ部５４と他方の金属板４８ａの第三のくびれ部６６との間における第一の突起１００の両側部分と、一方の金属板４８の第二のくびれ部５６と他方の金属板４８ａの第四のくびれ部６８との間における第二の突起１０２の両側部分のそれぞれに、確実に隙間（図示しない）を設け、更に他方の金属板４８ａの第二の水返し部７０の上部７６の一部となる、所定の間隔の複数箇所に、上方に突き出た半球状の第三の突起１０４を設けることにより、一方の金属板４８の裏側７４と他方の金属板４８ａの第二の水返し部７０との間における第三の突起１０４の両側部分に隙間（図示しない）を設けた点で異なるものである。
このため、本発明の実施の形態４の金属板葺き屋根４６と共通する部分の説明は省略し、更に共通する部分の符号は同じ符号を使用する。
【００９８】
なお、第一の突起１００、第二の突起１０２、及び第三の突起１０４は、先端が、尖った形状又は突き出た形状であれば良く、三角錐状、円錐状、四角錐状、三角錐状、サイコロ状など、どの様なものであっても良い。
【００９９】
第一の突起１００の両側部分の隙間（図示しない）は、一方の金属板４８の第一のくびれ部５４と他方の金属板４８ａの第三のくびれ部６６との密着が、第一の突起１００がその間に挟まることによって阻害されて、発生してできたものである。
【０１００】
第二の突起１０２の両側部分の隙間（図示しない）は、一方の金属板４８の第二のくびれ部５６と他方の金属板４８ａの第四のくびれ部６８との密着が、第二の突起１０２がその間に挟まることによって阻害されて、発生してできたものである。
【０１０１】
なお、第二の突起１０２の両側部分の隙間（図示しない）（一方の金属板４８の第二のくびれ部５６と他方の金属板４８ａの第四のくびれ部６８との間における隙間）は、例え後述する本発明の実施の形態１０の金属板葺き屋根４６のように、他方の金属板４８ａの第四のくびれ部６８の下部の一部に下方に突き出た第二の突起１０２を設けない場合に比べて、確実に設けられることとなる。
【０１０２】
第三の突起１０４の両側部分の隙間（図示しない）は、一方の金属板４８の裏側７４と他方の金属板４８ａの第二の水返し部７０との密着が、第三の突起１０４がその間に挟まることによって阻害されて、発生してできたものである。
【０１０３】
なお、一方の金属板４８の裏側７４と他方の金属板４８ａの第二の水返し部７０の上部７６とが密着することなく、僅かな間を開けて、一方の金属板４８の裏側７４に対して他方の金属板４８ａの第二の水返し部７０の上部７６を近接させて配置している場合においても、同様に、他方の金属板４８ａの第二の水返し部７０の上部７６の一部となる、所定の間隔の複数箇所に、上方に突き出た第三の突起１０４を設けることにより、第三の突起１０４の両側部分の隙間（図示しない）を設けることができる。
【０１０４】
これにより、例え通気が少なくても、通気層８０に溜まった湿気を、第一の突起１００の両側部分の隙間（図示しない）と、第二の突起１０２の両側部分の隙間（図示しない）と、第三の突起１０４の両側部分の隙間（図示しない）とを通じて、矢印Ｅで表すように、排出させることができる。
さらに、金属板裏面の結露の発生も抑制することができる。
【０１０５】
なお、第一の突起１００、第二の突起１０２、第三の突起１０４を設ける箇所は、所定の間隔の複数箇所に限られず、それぞれの長手方向の、第三のくびれ部６６の下部、第四のくびれ部６８の下部、第二の水返し部７０の上部７６の任意の一部で構わない。
【０１０６】
次に、本発明の実施の形態９の金属板葺き屋根４６を以下のとおり説明する（図１８（ｂ）参照）。
【０１０７】
本発明の実施の形態９の金属板葺き屋根４６は、本発明の実施の形態４の金属板葺き屋根４６において、クリップ８２、８８を用いるのではなく、複数の金属板４８を互いに連結する際に、予め、他方の金属板４８ａの第三のくびれ部６６の下部の一部となる、所定の間隔の複数箇所に、下方に突き出た第一の突起１００を設けることにより、一方の金属板４８の第一のくびれ部５４と他方の金属板４８ａの第三のくびれ部６６との間における第一の突起１００の両側部分に隙間（図示しない）を設け、更に他方の金属板４８ａの第二の水返し部７０の上部７６の一部となる、所定の間隔の複数箇所に、上方に突き出た第三の突起１０４を設けることにより、一方の金属板４８の第二のくびれ部５６と他方の金属板４８ａの第四のくびれ部６８との間に隙間８４を設けると同時に、一方の金属板４８の裏側７４と他方の金属板４８ａの第二の水返し部７０との間における第三の突起１０４の両側部分に隙間（図示しない）を設けた点で異なるものである。
このため、本発明の実施の形態４の金属板葺き屋根４６と共通する部分の説明は省略し、更に共通する部分の符号は同じ符号を使用する。
また、本発明の実施の形態８の金属板葺き屋根４６と共通する部分の説明は省略し、更に共通する部分の符号は同じ符号を使用する。
【０１０８】
なお、一方の金属板４８の裏側７４と他方の金属板４８ａの第二の水返し部７０の上部７６とが密着することなく、僅かな間を開けて、一方の金属板４８の裏側７４に対して他方の金属板４８ａの第二の水返し部７０の上部７６を近接させて配置している場合においても、同様に、他方の金属板４８ａの第二の水返し部７０の上部７６の一部となる、所定の間隔の複数箇所に、上方に突き出た第三の突起１０４を設けることにより、一方の金属板４８の第二のくびれ部５６と他方の金属板４８ａの第四のくびれ部６８との間に隙間８４を設けると同時に、一方の金属板４８の裏側７４と他方の金属板４８ａの第二の水返し部７０との間における第三の突起１０４の両側部分に隙間（図示しない）を設けることができる。
【０１０９】
また、隙間８４は、他方の金属板４８ａの第二の水返し部７０の上部７６の一部に上方に突き出た第三の突起１０４を設けることにより、第二の水返し部７０と繋がっている第四のくびれ部６８が、内側に押されるように変形して一方の金属板４８の第二のくびれ部５６から離れることにより、発生してできたものである。
【０１１０】
これにより、例え通気が少なくても、通気層８０に溜まった湿気を、第一の突起１００の両側部分の隙間（図示しない）と、隙間８４と、第三の突起１０４の両側部分の隙間（図示しない）とを通じて、矢印Ｅで表すように、排出させることができる。
さらに、金属板裏面の結露の発生も抑制することができる。
【０１１１】
なお、第一の突起１００、第三の突起１０４を設ける箇所は、所定の間隔の複数箇所に限られず、それぞれの長手方向の、第三のくびれ部６６の下部、第二の水返し部７０の上部７６の任意の一部で構わない。
【０１１２】
次に、本発明の実施の形態１０の金属板葺き屋根４６を以下のとおり説明する（図１９参照）。
【０１１３】
本発明の実施の形態１０の金属板葺き屋根４６は、本発明の実施の形態４の金属板葺き屋根４６において、クリップ８２、８８を用いるのではなく、複数の金属板４８を互いに連結する際に、予め、他方の金属板４８ａの第三のくびれ部６６の下部の一部となる、所定の間隔の複数箇所に、下方に突き出た第一の突起１００を設けることにより、一方の金属板４８の第一のくびれ部５４と他方の金属板４８ａの第三のくびれ部６６との間における第一の突起１００の両側部分に隙間（図示しない）を設け、更に他方の金属板４８ａの嵌め込み用凸部７２の頭頂部６２の所定の間隔の複数箇所に、孔１０６を設けた点で異なるものである。
このため、本発明の実施の形態４の金属板葺き屋根４６と共通する部分の説明は省略し、更に共通する部分の符号は同じ符号を使用する。
また、本発明の実施の形態８の金属板葺き屋根４６と共通する部分の説明は省略し、更に共通する部分の符号は同じ符号を使用する。
【０１１４】
なお、孔１０６は、他方の金属板４８ａの嵌め込み用凸部７２の頭頂部６２から両側の下方に続く側面部６４、６４ａにかけた任意の場所に設ければ良い。
また、孔１０６は、複数設けても良い。
【０１１５】
これにより、例え通気が少なくても、通気層８０に溜まった湿気を、第一の突起１００の両側部分の隙間（図示しない）と、孔１０６とを通じて、矢印Ｅで表すように、排出させることができる。
さらに、金属板裏面の結露の発生も抑制することができる。
【０１１６】
なお、第一の突起１００を設ける箇所は、所定の間隔の複数箇所に限られず、長手方向の第三のくびれ部６６の下部の任意の一部で構わない。
【０１１７】
次に、本発明の実施の形態１１の金属板葺き屋根４６を以下のとおり説明する（図２０（ａ）参照）。
【０１１８】
本発明の実施の形態１１の金属板葺き屋根４６は、本発明の実施の形態４の金属板葺き屋根４６において、クリップ８２、８８を用いるのではなく、複数の金属板４８を互いに連結する際に、予め、他方の金属板４８ａの第四のくびれ部６８の下部の一部となる、所定の間隔の複数箇所に、下方に突き出た第二の突起１０２を設けることにより、一方の金属板４８の第二のくびれ部５６と他方の金属板４８ａの第四のくびれ部６８との間における第二の突起１０２の両側部分に隙間（図示しない）を設け、更に他方の金属板４８ａの第二の水返し部７０の上部７６の一部となる、所定の間隔の複数箇所に、上方に突き出た第三の突起１０４を設けることにより、一方の金属板４８の裏側７４と他方の金属板４８ａの第二の水返し部７０との間における第三の突起１０４の両側部分に隙間（図示しない）を設け、更に一方の金属板４８の嵌め込み用凹部６０の頭頂部５０の所定の間隔の複数箇所に、孔１０８を設けた点で異なるものである。
このため、本発明の実施の形態４の金属板葺き屋根４６と共通する部分の説明は省略し、更に共通する部分の符号は同じ符号を使用する。
また、本発明の実施の形態８の金属板葺き屋根４６と共通する部分の説明は省略し、更に共通する部分の符号は同じ符号を使用する。
【０１１９】
なお、一方の金属板４８の裏側７４と他方の金属板４８ａの第二の水返し部７０の上部７６とが密着することなく、僅かな間を開けて、一方の金属板４８の裏側７４に対して他方の金属板４８ａの第二の水返し部７０の上部７６を近接させて配置している場合においても、同様に、他方の金属板４８ａの第二の水返し部７０の上部７６の一部となる、所定の間隔の複数箇所に、上方に突き出た第三の突起１０４を設けることにより、一方の金属板４８の裏側７４と他方の金属板４８ａの第二の水返し部７０との間における第三の突起１０４の両側部分に隙間（図示しない）を設けることができる。
【０１２０】
なお、孔１０８は、一方の金属板４８の嵌め込み用凹部６０の頭頂部５０から両側の下方に続く側面部５２、５２ａにかけた任意の場所に設ければ良い。
また、孔１０８は、複数設けても良い。
【０１２１】
これにより、例え通気が少なくても、通気層８０に溜まった湿気を、第二の突起１０２の両側部分の隙間（図示しない）と、第三の突起１０４の両側部分の隙間（図示しない）と、孔１０８とを通じて、矢印Ｅで表すように、排出させることができる。
さらに、金属板裏面の結露の発生も抑制することができる。
【０１２２】
なお、第二の突起１０２の両側部分の隙間（図示しない）（一方の金属板４８の第二のくびれ部５６と他方の金属板４８ａの第四のくびれ部６８との間における隙間）は、例え後述する本発明の実施の形態１２の金属板葺き屋根４６のように、他方の金属板４８ａの第四のくびれ部６８の下部の一部に下方に突き出た第二の突起１０２を設けない場合に比べて、確実に設けられることとなる。
【０１２３】
また、第二の突起１０２、第三の突起１０４を設ける箇所は、所定の間隔の複数箇所に限られず、それぞれの長手方向の、第四のくびれ部６８の下部、第二の水返し部７０の上部７６の任意の一部で構わない。
【０１２４】
次に、本発明の実施の形態１２の金属板葺き屋根４６を以下のとおり説明する（図２０（ｂ）参照）。
【０１２５】
本発明の実施の形態１２の金属板葺き屋根４６は、本発明の実施の形態４の金属板葺き屋根４６において、クリップ８２、８８を用いるのではなく、複数の金属板４８を互いに連結する際に、予め、他方の金属板４８ａの第二の水返し部７０の上部７６の一部となる、所定の間隔の複数箇所に、上方に突き出た第三の突起１０４を設けることにより、一方の金属板４８の第二のくびれ部５６と他方の金属板４８ａの第四のくびれ部６８との間に隙間８４を設けると同時に、一方の金属板４８の裏側７４と他方の金属板４８ａの第二の水返し部７０との間における第三の突起１０４の両側部分に隙間（図示しない）を設け、更に一方の金属板４８の嵌め込み用凹部６０の頭頂部５０の所定の間隔の複数箇所に、孔１０８を設けた点で異なるものである。
このため、本発明の実施の形態４の金属板葺き屋根４６と共通する部分の説明は省略し、更に共通する部分の符号は同じ符号を使用する。
また、本発明の実施の形態８、１１の金属板葺き屋根４６と共通する部分の説明は省略し、更に共通する部分の符号は同じ符号を使用する。
【０１２６】
なお、一方の金属板４８の裏側７４と他方の金属板４８ａの第二の水返し部７０の上部７６とが密着することなく、僅かな間を開けて、一方の金属板４８の裏側７４に対して他方の金属板４８ａの第二の水返し部７０の上部７６を近接させて配置している場合においても、同様に、他方の金属板４８ａの第二の水返し部７０の上部７６の一部となる、所定の間隔の複数箇所に、上方に突き出た第三の突起１０４を設けることにより、一方の金属板４８の第二のくびれ部５６と他方の金属板４８ａの第四のくびれ部６８との間に隙間８４を設けると同時に、一方の金属板４８の裏側７４と他方の金属板４８ａの第二の水返し部７０との間における第三の突起１０４の両側部分に隙間（図示しない）を設けることができる。
【０１２７】
なお、隙間８４は、他方の金属板４８ａの第二の水返し部７０の上部７６の一部に上方に突き出た第三の突起１０４を設けることにより、第二の水返し部７０と繋がっている第四のくびれ部６８が、内側に押されるように変形して一方の金属板４８の第二のくびれ部５６から離れることにより、発生してできたものである。
【０１２８】
これにより、例え通気が少なくても、通気層８０に溜まった湿気を、隙間８４と、第三の突起１０４の両側部分の隙間（図示しない）と、孔１０８とを通じて、矢印Ｅで表すように、排出させることができる。
さらに、金属板裏面の結露の発生も抑制することができる。
【０１２９】
なお、第三の突起１０４を設ける箇所は、所定の間隔の複数箇所に限られず、長手方向の第二の水返し部７０の上部７６の任意の一部で構わない。
【符号の説明】
【０１３０】
１０  金属板葺き屋根（横葺き）
１２  金属板（一方）
１２ａ  金属板（他方）
１４  嵌め込み用凸部
１５  平面部
１６  嵌め込み用凹部
１８  先端部
２０  最奥部
２２  屋根下地材
２４  ビス
２６  通気層
２８  下部（嵌め込み用凸部）
３０  上部（嵌め込み用凸部）
３２  クリップ
３３  空間（上部側）
３４  隙間
３５  空間（下部側）
４２  突起（上部）
４３  突起（先端部）
４４  突起（下部）
Ｃ  矢印
４６  金属板葺き屋根（縦葺き）
４８  金属板（一方）
４８ａ  金属板（他方）
５０  頭頂部（嵌め込み用凹部）
５２  側面部（一側）
５２ａ  側面部（他側）
５４  第一のくびれ部
５６  第二のくびれ部
５８  第一の水返し部
６０  嵌め込み用凹部
６１  平面部
６２  頭頂部（嵌め込み用凸部）
６４  側面部（一側）
６４ａ  側面部（他側）
６６  第三のくびれ部
６７  上部（第三のくびれ部）
６８  第四のくびれ部
７０  第二の水返し部
７２  嵌め込み用凸部
７４  裏側
７６  上部（第二の水返し部）
７８  屋根下地材
８０  通気層
８２  クリップ
８４  隙間（第二のくびれ部と第四のくびれ部との間）
８６  隙間（クリップ８８の両側部分）
８８  クリップ
９０  凸体
９２  孔（嵌め込み用凸部）
９４  孔（嵌め込み用凹部）
９６  略楔形のクリップ
９８  隙間
１００  第一の突起
１０２  第二の突起
１０４  第三の突起
１０６  孔（嵌め込み用凸部）
１０８  孔（嵌め込み用凹部）
Ｅ  矢印
【図１】
2020193497.tif 000003
【図２】
2020193497.tif 000004
【図３】
2020193497.tif 000005
【図４】
2020193497.tif 000006
【図５】
2020193497.tif 000007
【図６】
2020193497.tif 000008
【図７】
2020193497.tif 000009
【図８】
2020193497.tif 000010
【図９】
2020193497.tif 000011
【図１０】
2020193497.tif 000012
【図１１】
2020193497.tif 000013
【図１２】
2020193497.tif 000014
【図１３】
2020193497.tif 000015
【図１４】
2020193497.tif 000016
【図１５】
2020193497.tif 000017
【図１６】
2020193497.tif 000018
【図１７】
2020193497.tif 000019
【図１８】
2020193497.tif 000020
【図１９】
2020193497.tif 000021
【図２０】
2020193497.tif 000022